(57)【要約】【課題】自立スクリーンの収納時の衝撃を効果的に緩衝する機構を提供する。【解決手段】上下のアームが屈伸可能に連結された１対の伸縮アームの上下端を上部連結部材とベース部材とに連結し、伸張付勢手段で垂直に伸縮する略菱形のパンタグラフに対し、スクリーンの枠体部をベース部材に上端支持バーを上部連結部材にそれぞれ取り付け、スクリーンが垂直に伸縮する構成とした自立式スクリーンであって、上アームには上部連結部材との連結部から先端側に延長部を設け、パンタグラフの下降収縮時にスクリーン収納位置の手前で上アーム延長部先端同士が当接して収縮動が規制され、その状態からスクリーンの収納位置に至る間は、パンタグラフ構成部材が弾性域内で変形する事で収縮可能に構成する。上下アーム連結部に上アームの前後の振れ角を調整する手段を備える。【選択図】        図４
2004246161.tif 000002
【特許請求の範囲】
【請求項１】
屈伸可能に連結した上下アームからなる１対の伸縮アームを左右に対向させてその上下端を上部連結部材と下部ベース部材とに回動可能に連結して垂直に伸縮する略菱形のパンタグラフを構成し、該パンタグラフには伸張付勢手段を設ける一方、巻取収納機構を備えたスクリーンの枠体部を前記ベース部材にまた上端支持バーを前記上部連結部材にそれぞれ水平に取り付け、スクリーンシートが前記パンタグラフとともに伸縮可能に構成した自立式スクリーンであって、前記パンタグラフの上アームには、前記上部連結部材との連結部から更に先端側に延出する延長部を設け、パンタグラフを下降収縮させる際にスクリーン収納位置の手前で前記延長部の先端同士が当接し、パンタグラフの収縮動作が規制され、この延長部先端同士が当接したレベルからスクリーンの収納位置に至る間は、前記パンタグラフの構成部材が弾性域内で変形する事で収縮可能に構成してなる緩衝機構付き自立式スクリーン。
【請求項２】
前記パンタグラフは、上下アームの屈伸連結部が上下アームを互いに上下に開閉回動可能に連結する連結具を備えてなり、且つ、前記上下アームいずれかの端部の前記連結具取付部には、下アームに対する上アームの前後方向振れ角を調整して固定する調整手段を備えてなる、請求項１記載の緩衝機構付き自立式スクリーン。
【発明の詳細な説明】
【０００１】
【発明の属する技術分野】
本発明は、映写用スクリーンの技術に係わり、更に詳しくは、スクリーン収納時にパンタグラフの伸張付勢力が低下して起こる落下現象を規制し確実且つ効果的に緩衝させる緩衝機構を備えた手動昇降形の自立式スクリーンの構造に関するものである。
【０００２】
【従来の技術】
ホームシアターなど家庭用ホームスクリーンなどの分野においては、先行技術として種々の形態が知られている。その一例として、中央部が回動可能にクロス連結された中間アームと、該中間アームの上下端にそれぞれ回動可能に連結した左右対向する各１対の上下アームと、前記下アーム基端部を回動可能に連結したベース部材と、前記上アーム先端部を回動可能に連結した上部連結部材とにより、略菱形が上下２段に連なって垂直に伸縮するパンタグラフを構成するとともに該パンタグラフにはパンタグラフを伸張付勢し且つ高さを保持する手段を備える一方、巻取収納機構を備えたスクリーンの枠体部を前記ベース部材にまたスクリーンシートの上端支持バーを前記上端連結部材にそれぞれ水平に取り付け、スクリーンシートが前記パンタグラフとともに伸縮可能に構成した自立式スクリーンが知られている（例えば、特許文献１参照）。この従来の自立式スクリーンは、パンタグラフの伸張付勢手段が対向アームに対し互いに内方に引き寄せる付勢力を付加する構成からなり、スクリーン収納位置近傍ではパンタグラフの対向アームと付勢手段とがほぼ水平姿勢になって自重を支える付勢力の有効成分がゼロに近づき急激に落下し、その衝撃でスクリーンを損傷するといった危険がある。
【０００３】
【特許文献１】
特開２０００−１３１７６６号公報（第６頁、図１参照）
【０００４】
【発明が解決しようとする課題】
前述の状況に鑑み本発明が解決しようとする課題は、自立式スクリーンにおいて、スクリーン収納時にパンタグラフ伸張付勢力の上向き有効成分がゼロに近づいた際に、スクリーンの落下を規制する緩衝機能を備えるとともに、スクリーン引き出し時にはパンタグラフ伸張付勢手段の付勢力を助勢する機能を備えた自立式スクリーンを提供することにある。また、本発明が解決しようとする他の課題は、上記の各機能を確実に作用させるための調整機構を備えた自立式スクリーンを提供することにある。
【０００５】
【課題を解決するための手段】
前述の課題を解決するため、本発明は、屈伸可能に連結した上下アームからなる１対の伸縮アームを左右に対向させてその上下端を上部連結部材と下部ベース部材とに回動可能に連結して垂直に伸縮する略菱形のパンタグラフを構成し、該パンタグラフには伸張付勢手段を設ける一方、巻取収納機構を備えたスクリーンの枠体部を前記ベース部材にまた上端支持バーを前記上部連結部材にそれぞれ水平に取り付け、スクリーンシートが前記パンタグラフとともに伸縮可能に構成した自立式スクリーンであって、このスクリーンの前記パンタグラフには、スクリーン収納位置の手前でパンタグラフの収縮を規制する機能を備え、またその機能が確実に発揮される調整手段を備える。
【０００６】
具体的には、前記パンタグラフの上アームには、前記上部連結部材との連結部から更に先端側に延出する延長部を設け、パンタグラフを下降収縮させる際にスクリーン収納位置の手前で前記延長部の先端同士が当接し、パンタグラフの収縮動作が規制され、この延長部先端同士が当接したレベルからスクリーンの収納位置に至る間は、前記パンタグラフの構成部材が弾性域内で変形する事で収縮可能に構成する。
【０００７】
この場合、パンタグラフ構成部材の左右方向への弾性変形量は、パンタグラフの上アームまたは下アームの長さの約１０００分の３程度にする。変形量をこの程度に設定すると、機構上無理な変形や塑性変形を生ずることなく適度な緩衝作用を発揮し、且つその弾性変形に伴う反発力がスクリーン引き出し時に伸張付勢手段の付勢力を助勢する手段としても利用できる。
【０００８】
また上記機能を確実に発揮させる調整手段としては、前記パンタグラフには、上下アームの屈伸連結部が上下アームを互いに上下に開閉回動可能に連結する連結具を備え、且つ、前記上下アームいずれかの端部の前記連結具取付部には、下アームに対する上アームの前後方向振れ角を調整して固定する調整手段を備えるのがよい。
【０００９】
【発明の実施の形態】
つぎに本発明の実施の形態を添付図面に基づき詳細に説明するが、本発明は添付図面に示された形態に限定されず特許請求の範囲に記載の要件を満たす実施形態のすべて含むものである。図１は、本発明に係る自立式スクリーンの実施例のスクリーンを引き出した状態を背面から見た図である。図２には、そのスクリーンの収納状態を拡大して示し、図３には、そのスクリーンを斜め上から見た斜視図を示す。また、図４は、図１のスクリーンの緩衝機構の説明図で、スクリーン収納直前の位置で上アーム上端部の先端同士が当接し下降収縮が規制された状態を示す図である。図５は、図１のスクリーンのパンタグラフ左方アームの屈伸部の拡大部分図で、（ａ）はパンタグラフ中心寄り前方から見た斜視図、（ｂ）は正面図、（ｃ）は平面をそれぞれ示している。
【００１０】
図において、自立式スクリーン１は、屈伸可能に互いの一端を連結した上下アーム２１，２２および３１，３２からなる１対の伸縮アーム２０，３０を連結部が互いに左右外方向に屈折するように対向させてその上下端を上部連結部材１６とベース部材６とにそれぞれ回動可能に連結して垂直に伸縮する略菱形のパンタグラフ１５を構成し、下アーム２１，３１とベース部材６との間にはパンタグラフ１５の伸張付勢手段４０を設ける一方、内部にスクリーンシート４の巻取収納機構を備えたスクリーン本体２を、ベース部材６の下部に接合した収納ケース３７で水平にその両端を支持し且つその上端支持バー５の中央部を上部連結部材１６に水平に取り付け、スクリーンシート４がパンタグラフ１５とともに伸縮してスクリーンシート４の展張時にはスクリーンシート４がパンタグラフ１５で垂直に支持される構成にしている。
【００１１】
そしてパンタグラフ１５の伸張付勢手段４０は、スプリング９，１２を介し一端をベース部材６に係止した左右各２本のワイヤー１０，１０，１３，１３を、ベース部材６の両端に回転可能に取り付けた各々２個ずつの滑車８，８，１１，１１にそれぞれ巻き掛けて内方に反転させ、その互いの他端を左右反対側の下アーム２１，３１の中間部前後にそれぞれ係止し、これによって左右各２本のワイヤー１０，１０，１３，１３に作用するスプリング９，１２の引っ張り付勢力でパンタグラフ１５の下アーム２１，３１を互いに内方に引き寄せ、パンタグラフ１５を伸張方向に付勢する構成としている。
【００１２】
つぎに、上記構成からなる自立式スクリーン１の各部の構造を更に詳しく説明する。まず、スクリーン本体２は、一般に公知のスプリングロール式スクリーンであり、本体枠２ａ内に回転可能に支持されたスプリングロール３と、それに巻き取ったスクリーンシート４と、スクリーンシート４の末端を支持する上端支持バー５などで構成されている。スプリングロール３は、その内部に組み込まれたスプリング（図示しない）がこのロールをスクリーンシート４の巻き込み方向に付勢し、スクリーンシート４の引き出し力を弛めると自動的に巻き取る機能を備えている。なお、本体枠２ａは、ベース部材６を保持する収納ケース３７に対しスクリーン固定部材６ａ，６ａを介し両端が保持固定され、スクリーンシート４の引き出しと巻取時には本体枠２ａは回転せず内部のスプリングロール３のみが回転する構造となっている。
【００１３】
つぎに、パンタグラフ１５は、下面が水平で且つ中央に垂直のブラケット７を有するベース部材６と、ブラケット７に基端が回動可能に連結され且つ中間に屈伸部２３ａ，３３ａを有する左右１対の伸縮アーム２０，３０と、伸縮アーム２０，３０の上端を回動可能に連結する上部連結部材１６とにより構成される。更に詳しく説明すると、伸縮アーム２０，３０は、左右１対の下アーム２１，３１のそれぞれの上端に一体的に取り付けられた連結具２１ａ，３１ａと、左右１対の上アーム２２，３２のそれぞれの下方端部２２ａ，３２ａとを連結ピン２３，３３で連結し、互いに左右外方に屈伸する姿勢で配置される。そしてこの伸縮アーム２０，３０それぞれの下アーム２１，３１の下端部２１ｂ，３１ｂはベース部材６の垂直のブラケット７に連結ピン２４，３４でそれぞれ回動可能に枢止するとともに、上アーム２２，３２の上端部２２ｂ，３２ｂは上端連結部材１６に連結ピン２５，３５でそれぞれ回動可能に連結し、垂直に伸縮する略菱形の自立式パンタグラフに構成している。
【００１４】
このパンタグラフ１５のベース部材６の左右両端は、スクリーン収納ケース３７の底面に固定されている。そして、収納ケース３７内の両端部にはスクリーン本体２の本体枠２ａ両端を固定部材６ａ，６ａで固定支持している。またパンタグラフ１５の上部連結部材１６には、スクリーンシート４の上端支持バー５の中央部を支持させる。そしてパンタグラフ伸張付勢手段４０は、引き出されたスクリーンシート４の重力とスプリングロール３の巻込み付勢力とを合わせた下方の力に伸張付勢力がほぼバランスするように設定している。なお、ベース部材６および収納ケース３７の各底面は、平坦な水平面をなしスクリーンシート４を上端まで引き出しスクリーンが起立した状態で転倒しないような十分な奥行きと安定性とを有している。
【００１５】
つぎに、パンタグラフの伸張付勢手段４０の詳細構造について説明する。パンタグラフ１５の伸張付勢手段４０は、ベース部材６両端に、下アーム２１，３１を前後に挟む形でそれぞれ２個の滑車８，１１を配置し、スプリング係止部材１４でベース部材６の中央部に係止された付勢スプリング９，１２のそれぞれの他端に一端を係止した左右各２本のワイヤー１０，１０，１３，１３の各々をそれぞれ前後２個の滑車８，８および１１，１１にそれぞれ個別に巻き掛けて内方に反転させ、各下アーム２１，３１の前後側面に沿う様に導いてその他端を左右反対側の下アーム２１，３１中間部の前後にそれぞれ係止ピン２６，３６で係止して構成する。
【００１６】
なお、自立式スクリーン１には、ベース部材６の下面左右両端に接合する底板を備えた収納ケース３７を設けている。収納ケース３７は、略直方体の箱体の上面に開閉蓋３８を有する構造からなり、折りたたまれた状態のパンタグラフ１５とスクリーン本体２との全体を収納できる大きさに形成されている。この収納ケースは、スクリーン本体２両端を固定部材６ａ，６ａを介し支持固定するとともに、パンタグラフ１５のベース部材６の固定手段（図示しない）を備えている。開閉蓋３８には中央に開口３９が貫通形成され、この開口３９はスクリーンの上端支持バー５の上部中央に取り付けられたハンドル１７の位置に一致している。
【００１７】
以上の構成により、自立式スクリーン１は、収納ケース３７の蓋３８を開き、スクリーンの上端支持バー５の上部中央のハンドル１７を手に持って上方に引き上げると、スクリーンシート４がスクリーン本体２から引き出され、パンタグラフ１５が伸張し、引き上げる動作を停止すると、引き出されたスクリーンシート４および上端支持バー５の重力およびスクリーンの巻取付勢機構（図示しない）の付勢力の合計が伸張付勢手段４０の伸張付勢力とほぼバランスしているので、その高さでスクリーンが垂直姿勢で保持される。また、収納時はハンドル３９を下方に押し下げるとパンタグラフ１５が収縮してスクリーンシート４が巻き取られる。そして、スクリーンをパンタグラフとともに収納ケース３７内に収納し、開閉蓋３８を閉じて開閉蓋３８のロック機構（図示しない）をロックし、開口３９からハンドル１７を引き出して手に下げて運搬することが可能である。
【００１８】
なお、図示の自立式スクリーン１は、スクリーンの上端支持バー５がパンタグラフ１５の上部連結部材１６の伸縮アーム２０，３０連結部の垂直壁に対し伸縮アーム２０，３０と反対側面に取り付けている。これにより上端支持バー５とパンタグラフ１５のアーム部材と干渉が回避できる。つまり、上端支持バー５を上部連結部材１６の低位置に取り付け可能となり、その作用効果としてスクリーン折りたたみ収納時の高さが低くなり、収納ケース３７が小型軽量化され運搬が容易になり且つコストも低下できる。
【００１９】
一方、上記自立式スクリーン１は、収納時にパンタグラフ１５が収納直前位置でパンタグラフの上下アームが互いに水平に近づき伸張付勢手段４０の上向き支持力がゼロに近づいた際に急激に落下する現象を規制する緩衝機構４１を備えている。この緩衝機構４１は、パンタグラフの上アーム２２，３２の上端部２２ｂ，３２ｂに、上部連結部材１６と連結する上端連結ピン２５，３５の位置から更に先端側に延出する延長部２２ｃ、３２ｃを設け、パンタグラフの下降収縮時にスクリーン収納位置の手前で延長部２２ｃ，３２ｃの先端同士が当接してパンタグラフの収縮動作が規制されるように構成する。そして、延長部２２ｃ，３２ｃの先端同士が当接して収縮動作が規制されたレベルからスクリーンの収納位置に至る間は、上端連結部材１６を強制的に下方（図４の矢印方向）に押し下げると、パンタグラフ１５がその構成部材の弾性域内で変形し、パンタグラフ１５が収縮する様にする。
【００２０】
前記における弾性域内でのパンタグラフの左右方向へのそれそれの変形量は、パンタグラフを構成する上アームまたはそれとほぼ同じ長さの下アームの長さの約１０００分の３程度になるように延長部２２ｃ，３２ｃの長さを設定する。このアーム先端同士が当接してから収納位置まで下降収縮する行程において各アームが互いに側方に押される変形量は、アーム長で異なるが具体的にはアーム長が約１ｍの場合で約３ｍｍ程度が適当量である。そしてこの変形を可能にするため、上アーム上端部２２ｂ，３２ｂの上端連結ピン２５，３５装着穴は先端方向に長く伸ばした長穴とする。この変形量に設定すると、アームが収納位置の約４°〜約５°手前で下降が規制され、パンタグラフの機構に無理な変形や塑性変形を生ずることがなく、適度な緩衝作用を発揮する。またその弾性変形に伴う反発力が、スクリーン引き出し時にパンタグラフの伸張付勢手段の付勢力を助勢する手段となる。
【００２１】
そして、上記機能を確実に発揮させる調整手段として、パンタグラフは、上下アームの屈伸部２３ａ，３３ａに上下アーム２１，２２および３１，３２を中間連結ピン２３，３３を介して互いに上下に開閉回動可能に枢止連結する連結具（図示の例では下アーム２１，３１上方の端部２１ａ，３１ａを指す）の下アーム２１，３１への取付部に、上アームの前後方向の角度を修正可能な機能を持たせる。
【００２２】
具体的には、左右の各下アーム２１，３１それぞれの部材先端に取り付ける連結具２１ａ，３１ａは、それぞれ同じ対称形状であり、その一方２１ａを図５に示す。連結具２１ａは、下アーム２１の部材先端の外側面と接する外側板と、下アーム２１の部材先端の前後側面と僅かな隙間を隔てて対峙する前後側板とを有する溝形部材からなる。そして、連結具２１ａの前後側板の先端側端部には上アーム２２を連結する中間連結ピン２３装着用の貫通孔が形成され、連結具２１ａの外側板中央にはその溝内にて下アーム２１の部材先端に首振り可能に連結する支点ピン２７用の装着穴が貫通形成され、且つ支点ピン２７用の装着穴近傍の外側板と前後側板とには下アーム２１の部材先端を側方と外方から保持固定するための調整ネジ用２８のねじ孔がそれぞれ複数貫通形成されている。
【００２３】
下アーム２１と上アーム２２とを連結する場合、まず、ベース部材６に下アーム２１の下端部２１ｂを下端連結ピン２４で連結枢止しておく。つぎに上記連結具２１ａを上アーム端部２２ａに中間連結ピン２３で回動可能に連結枢止する。そして下アーム２１の部材先端を連結具２１ａの溝部に挿入しその外端を連結具２１ａの溝底に当接させ、外側板外面から下アーム部材端に支点ピン２７を挿入し、この支点ピン２７を支点として連結具２１ａを取り付けた上アーム２２が下アーム２１に対し前後方向に首振り可能に連結する。つぎに、連結具２１ａの支点ピン２７近傍の外側板と前後側板とに形成された前記各ねじ孔に調整ネジ２８を螺合し、上下アーム２２，２１が互いに正しく重ね合わさる状態に保って全ての調整ネジ２８を均等に締め付け、その状態で下アーム２１を連結具２１ａに保持固定して一体化する。以上により伸縮アーム２０は下アーム２１と上アーム２２とが互いにベース部材６の左右方向に沿う同一垂直平面に沿って正しく屈伸するように組み立てられる。つぎに、伸縮アーム２０に対向する他方の伸縮アーム３０も上記と同様の手順で組み立てる。
【００２４】
最後に伸縮アーム２０，３０の先端に上部連結部材１６を連結してパンタグラフ１５を構成すると、左右の伸縮アーム２０，３０は、互いに共通の垂直平面に沿って屈伸可能となる。これにより、パンタグラフ１５が下降収縮して収納位置の手前に達した時に、上アーム２２，３２上端の延長部２２ｃ，３２ｃの先端が互いに正しく向き合って当接し、パンタグラフ１５の下降収縮が規制され、緩衝機構４１を正確に機能させることが可能となる。そして、使用中にパンタグラフ１５の上下アームの連結に狂いが生じ、緩衝機構４１の機能が低下した際には、上記と同様にして連結具２２ａ，３２ａの調整ネジ２８を調整する。この調整により、緩衝機構４１が常に正常に機能するように矯正できる。
【００２５】
上記説明では、パンタグラフ１５の伸縮アーム２０，３０の屈伸部２３ａ，３３ａに設ける連結具２１ａ，３１ａは、下アーム２１，３１の部材先端に取り付ける場合を実施例として説明したが、これとは反対に、連結具２１ａ，３１ａを上アーム２２，３２のアーム部材下方端に上記と同様の形態で取り付け可能に形成し、その連結具２１ａ，３１ａ端部の中間連結ピン装着穴と下アーム２１，３１のアーム部材先端に形成した中間連結ピン装着穴とを合わせて中間連結ピン２３，３３を装着して両者を連結し、上記と同様な手順で下アーム２１，３１に対する上アーム２２，３２の前後の振れ角を調整して固定する方式としてもよい。
【００２６】
そして、上記いずれの方法を採る場合も、製作誤差などの関係で左右の下アーム２１，３１が互いにほぼ一直線方向に沿わず、修正困難な狂いが残るような場合には、パンタグラフ１５が下降収縮して収納位置の手前で上アーム延長部２２ｃ，３２ｃ先端同士が当接する状態で上アーム２２，３２が互いにほぼ一直線方向に沿う向きになるよう、連結具２１ａ，３１ａのアーム部材先端部への取付調整を行えば、前述の場合と同様に緩衝機能を発揮させる事が可能となる。。
【００２７】
【発明の効果】
請求項１の発明に係る自立式スクリーンは、スクリーンを支持し垂直に伸縮する略菱形のパンタグラフの上アームには、該上アームを回動可能に連結する上部連結部材の連結部から更に先端側に延出する延長部を設け、パンタグラフを下降収縮させる際に、スクリーン収納位置の手前で前記延長部の先端同士が当接してパンタグラフの収縮動作が規制され、この延長部の先端同士が当接したレベルからスクリーンの収納位置に至る間は上端連結部材を強制的に押し下げ、パンタグラフがその構成部材の弾性域内で変形することで収縮する構成としたので、スクリーン収納時にパンタグラフ伸張付勢力の上向き成分がゼロに近づいてもスクリーンの落下を規制する。このパンタグラフ構成部材の弾性変形作用は、スクリーン収納時の緩衝作用として機能するほか、スクリーン引き出し時には弾性変形に伴う反発力がパンタグラフ伸張付勢手段の伸張を助勢する作用効果が得られる。
【００２８】
ところで、スクリーンの落下を規制する緩衝機能とスクリーン引き出し時のパンタグラフ伸張付勢の助勢機能とは、パンタグラフの上下アームの互いの前後方向の角度が僅かに狂うと確実に作用しなくなるので、組み立てには高い精度を必要とする。そこで、請求項２の発明に係る自立式スクリーンは、スクリーンを支持し垂直に伸縮する略菱形のパンタグラフは、上下アームの屈伸連結部に上下アームを互いに上下に開閉回動可能に連結する連結具を介在させ、且つ、該連結具には、下アームに対し上アームを前後に偏向可能に支持する支点ピンと、上アームの前後偏向を拘束して固定する可調整の固定手段とを備えた。これにより、パンタグラフの上アーム先端同士が正しく向き合って当接し且つ上下アームが互いに正しく重なって折りたたまれるように、組み立て時や必要な時には随時、誤差修正と矯正の作業が容易に行える。つまりこの調整機構は、スクリーン収納時の緩衝機能とスクリーン引き出し時の助勢機能とを確実に発揮させるうえで重要な役割を担う手段であるといえる。
【図面の簡単な説明】
【図１】本発明に係る自立式スクリーンの実施例を示し、スクリーンを引き出した状態を背面から見た図である。
【図２】図１のスクリーンを収納した状態を拡大して示す図である。
【図３】図１のスクリーンを斜め上から見た斜視図である。
【図４】図１のスクリーンの緩衝機構の説明図で、スクリーン収納直前の位置で上アーム上端部の先端同士が当接し下降収縮が規制された状態を示す図である。
【図５】図１のスクリーンのパンタグラフ左方アームの屈伸部の拡大部分図で、（ａ）はパンタグラフ中心寄り前方から見た斜視図、（ｂ）は正面図、（ｃ）は平面をそれぞれ示している。
【符号の説明】
１  自立式スクリーン
２  スクリーン本体
２ａ  本体枠
３  スプリングロール
４  スクリーンシート
５  上端支持バー
６  ベース部材
６ａ  スクリーン固定部材
７  ブラケット
８，１１  滑車
８ａ，１１ａ  支軸
９，１２  スプリング
１０，１３  ワイヤー
１４  スプリング係止部材
１５  パンタグラフ
１６  上端連結部材
１７  ハンドル
２０，３０  伸縮アーム
２１，３１  下アーム
２１ａ，３１ａ  連結具（端部）
２１ｂ，３１ｂ  下端部
２２，３２  上アーム
２２ａ，３２ａ  端部
２２ｂ，３２ｂ  上端部
２２ｃ，３２ｃ  延長部
２３，３３  中間連結ピン
２３ａ，３３ａ  屈伸部
２４，３４  下端連結ピン
２５，３５  上端連結ピン
２６，３６  ワイヤー係止ピン
２７  支点ピン
２８  調整ネジ
３７  収納ケース
３８  開閉蓋
３９  開口
４０  伸張付勢手段
４１  緩衝機構
【図１】
2004246161.tif 000003
【図２】
2004246161.tif 000004
【図３】
2004246161.tif 000005
【図４】
2004246161.tif 000006
【図５】
2004246161.tif 000007